(57)【特許請求の範囲】
【請求項１】
通信端末装置と外部端末が接続された記録システムであって、前記通信端末装置は、画像を記録する記録手段と、外部端末を接続する外部接続手段と、前記記録手段で画像を記録中に前記外部接続手段から記録指示を受付可能であるとともに該記録指示が割込記録指示である場合には割込記録処理に移行するように制御する制御手段を有し、前記外部端末は、ユーザが通常記録処理と割込記録処理を指示可能であり、ユーザが割込記録処理を選択した場合に前記通信端末装置において割込処理が行われるように割込記録指示を作成し、通常記録処理を選択した場合には割込処理されない記録指示を作成して、前記通信端末装置へ送信することを特徴とする記録システム。
【請求項２】
通信端末装置と接続された端末装置において、ユーザが通常記録処理と割込記録処理のいずれかを選択指示する指示手段と、ユーザが割込記録処理を選択した場合に前記通信端末装置において割込処理が行われるように割込記録指示を作成し通常記録処理を選択した場合には割込処理されない記録指示を作成して前記通信端末装置へ送信するプリンタドライバを有することを特徴とする端末装置。
【請求項３】
通信端末装置に記録指示を行うコンピュータで実行可能なプログラムであって、ユーザからの通常記録処理と割込記録処理のいずれかの選択指示を受け付け、ユーザが割込記録処理を選択した場合に前記通信端末装置において割込処理が行われるように割込記録指示を作成し通常記録処理を選択した場合には割込処理されない記録指示を作成して前記通信端末装置へ送信することを特徴とするコンピュータで実行可能なプログラム。
【発明の詳細な説明】
【０００１】
【発明の属する技術分野】
本発明は、外部端末に接続可能であり、外部端末から記録指示が可能な通信端末装置を含む記録システムと、外部端末となる端末装置、及びそのような機能をコンピュータで実行可能なプログラムに関するものである。
【０００２】
【従来の技術】
近年、通信端末装置においては、パーソナル・コンピュータやワークステーションなどの外部端末と接続して、通信端末装置をプリンタとして使用できるものが多くなっている。このような通信端末装置においては、例えば通信機能でファクシミリ受信した画像やコピー機能で原稿から読み取った画像などを記録処理している最中には、外部端末から新たな記録処理の指示を行っても、記録中の画像を最後のページまで記録し終えないと、外部端末からの記録処理を開始できなかった。
【０００３】
特に、外部端末から記録指示を行ったときに、ページ数の多い画像や、記録部数の多いコピー処理などを行っていると、その記録中の処理が終了するまで、外部端末からの記録指示は長時間待たされることになる。したがって、このような通信端末装置では、外部端末からの緊急を要する記録処理に対応できないという問題があった。
【０００４】
【発明が解決しようとする課題】
本発明は、上述した事情に鑑みてなされたもので、記録処理中であっても、端末装置からユーザの選択により割込記録指示を行うことによって、外部端末からの記録処理を優先的に実行させることが可能な記録システム及び端末装置と、そのような機能をコンピュータで実行可能なプログラムを提供することを目的とするものである。
【０００５】
【課題を解決するための手段】
本発明は、通信端末装置と外部端末が接続された記録システムであって、前記通信端末装置は、画像を記録する記録手段と、外部端末を接続する外部接続手段と、前記記録手段で画像を記録中に前記外部接続手段から記録指示を受付可能であるとともに該記録指示が割込記録指示である場合には割込記録処理に移行するように制御する制御手段を有し、前記外部端末は、ユーザが通常記録処理と割込記録処理を指示可能であり、ユーザが割込記録処理を選択した場合に前記通信端末装置において割込処理が行われるように割込記録指示を作成し、通常記録処理を選択した場合には割込処理されない記録指示を作成して、前記通信端末装置へ送信することを特徴とするものである。これによって、通信端末装置で記録処理中であっても、端末装置からユーザが割込記録処理の選択を行うことによって、端末装置から指示した記録処理を通信端末装置で優先的に実行させることが可能になる。そのため、端末装置からでも、ユーザからの指示により緊急を要する記録処理に対応することができる。
【０００６】
このような記録システムで用いられる端末装置において、ユーザが通常記録処理と割込記録処理を指示する指示手段と、ユーザが割込記録処理を選択した場合に前記通信端末装置において割込処理が行われるように割込記録指示を作成し通常記録処理を選択した場合には割込処理されない記録指示を作成して前記通信端末装置へ送信するプリンタドライバを有することを特徴とするものである。
【０００８】
なお、このような端末装置における処理は、コンピュータで実行可能なプログラムとして構成することができる。このプログラムを記憶媒体に記憶させておき、記憶媒体に記憶されているプログラムを端末装置に読み取らせ、実行することによって、端末装置側の割込記録指示などの機能を実現してもよい。
【０００９】
【発明の実施の形態】
図１は、本発明の通信端末装置の実施の一形態を示すブロック図である。図中、１１は通信端末装置、１２は主制御部、１３は表示部、１４は操作部、１５は読取部、１６は記録部、１７はＰＣインタフェース、１８はＮＣＵ、１９はモデム、２０は画像メモリ、２１はＲＡＭ、２２はＲＯＭ、２３はバス、２４はコンピュータである。図１に示す通信端末装置１１は、主制御部１２、表示部１３、操作部１４、読取部１５、記録部１６、ＰＣインタフェース１７、ＮＣＵ１８、モデム１９、画像メモリ２０、ＲＡＭ２１、ＲＯＭ２２などで構成され、これらがバス２３によって接続されている。また、通信端末装置１１は、ＰＣインタフェース１７を介してコンピュータ２４と接続可能である。
【００１０】
主制御部１２は、装置全体を制御し、各部を動作させて、コンピュータ２４から受信した画像のプリント機能や、ファクシミリ通信による画像送受信機能、コピー機能などの各種機能を実現する。特に、ＰＣインタフェース１７を介して外部のコンピュータ２４から割込記録指示を受けたときに、ファクシミリ通信で受信した画像またはコピー機能において読み取った画像などの記録処理を記録部１６で実行していれば、記録中の頁の記録出力が終わり次第、実行中の記録処理を中断して、割込記録処理に移行する。割込記録処理に移行すると、コンピュータ２４から受信した記録データの記録処理を実行し、その後、割込記録処理で中断していた記録処理を再開する。また、割込記録処理に移行してからその割込記録処理が終了するまでの間に、新たな別の割込記録指示を受けた場合には、実行中の割込記録処理に続けて新たな別の割込記録指示に従って割込記録処理を行う。なお、読取部１５を使用した画像の読み取りや、ＮＣＵ１８及びモデム１９を使用した画像の送受信動作、及びＰＣインタフェース１７を介したコンピュータ２４とのデータの送受信は、記録処理および割込記録処理に関係なく実行することができる。
【００１１】
表示部１３は、利用者に対するメッセージや、装置の状態を示すメッセージ、操作ガイダンスなど、種々の情報を表示する。操作部１４は、利用者が各種の設定や指示などを行う際に用いられる。例えば、送信機能あるいはコピー機能の選択を行う選択キーや、選択した機能の実行指示などを行うスタートキー等が設けられている。
【００１２】
読取部１５は、主制御部１２による制御に従い、ファクシミリ通信で送信される画像や、コピーすべき画像、コンピュータ２４へ送信される画像を読み取る。読取部１５としては、イメージスキャナやデジタルカメラなど、種々の画像読取装置を適用することができる。また、記録部１６は、コンピュータ２４から受信した画像や、ファクシミリ通信で受信した画像あるいは読取部１５で読み取った画像などを、主制御部１２の制御に従って用紙上に記録する。記録方法としては、例えば電子写真方式やインクジェット方式など、種々の方式を採用することができる。
【００１３】
ＰＣインタフェース１７は、コンピュータ２４などの外部端末と接続される。そして、例えば割込記録指示などの記録指示や、記録部１６で記録すべき印刷データ、さらにはモデム１９及びＮＣＵ１８を介して他の装置へ送信すべきデータを外部のコンピュータ２４から受け取る。なお、ＰＣインタフェース１７としては、接続されるコンピュータ２４との接続方法に応じて、セントロニクスやＵＳＢ（Ｕｎｉｖｅｒｓａｌ  Ｓｅｒｉａｌ  Ｂｕｓ）など各種インタフェースを適用できる。また、ＰＣインタフェース１７をＬＡＮアダプタなどで構成し、ＬＡＮを経由して複数のコンピュータやその他の機器と接続可能に構成してもよい。また、ＰＣインタフェース１７に接続されるコンピュータ２４としては、パーソナル・コンピュータやワークステーションなど、どのようなコンピュータであってもよい。
【００１４】
ＮＣＵ１８は、回線を制御して外部機器との通信を行う。また、モデム１９は、ＮＣＵ１８を介して送受信する画像データの変復調を行う。ＮＣＵ１８およびモデム１９を用い、ファクシミリ通信を行うことができる。
【００１５】
画像メモリ２０は、ファクシミリ通信で送信する画像データや受信した画像データ、読取部１５で読み取った画像や、ＰＣインタフェース１７を介してコンピュータ２４などから送られてくるデータ、その他処理中の画像やデータ等を格納する。
【００１６】
ＲＡＭ２１は、主制御部１２や他の各部の処理においてデータの保存が必要なときに用いられる。ＲＯＭ２２は、主制御部１２の動作を規定したプログラムや、固定的なデータなどが格納されている。
【００１７】
バス２３は、通信端末装置１１内の主制御部１２、表示部１３、操作部１４、読取部１５、記録部１６、ＰＣインタフェース１７、ＮＣＵ１８、モデム１９、画像メモリ２０、ＲＡＭ２１、ＲＯＭ２２等を相互に接続しており、これらの間のデータ転送を可能にしている。もちろん、これらのほか、外部記憶装置など、各種の機器がバス２３に接続されていてもよい。
【００１８】
本発明の通信端末装置の実施の一形態における動作の一例と、通信端末装置に接続されたコンピュータ２４の動作について説明する。上述のように、通信端末装置１１は、コンピュータ２４から受信した画像のプリント機能を有している。コンピュータ２４から割込記録指示を受信すると、そのときファクシミリ通信で受信した画像またはコピーする画像の記録処理を実行中であれば、その記録処理を中断し、コンピュータ２４から受信した画像の割込記録処理に移行する。また、コンピュータ２４は、通信端末装置１１に対して割込記録処理を行わせるために、割込記録指示などの記録指示と印刷データとからなる印刷ジョブを作成し、通信端末装置１１へＰＣインタフェース１７を介して送信するように動作する。
【００１９】
図２は、本発明の通信端末装置に接続されたコンピュータにおける印刷ジョブの作成及び送信処理動作の一例を示すフロー図である。まずＳ３１において、ユーザがデータの記録処理を行うための操作を行ったか否かをコンピュータ２４で監視する。ユーザがデータの記録処理を行うための操作をしなかった場合には、Ｓ３１の判断を繰り返して監視を継続する。
【００２０】
データの記録処理を行うための操作が行われると、Ｓ３２において、ユーザが割込プリントモードで記録処理するか、通常プリントモードで記録処理するかの選択を行うことを可能にするウインドウを開く。図３は、コンピュータにおいて割込処理の設定を行うときに表示されるウインドウ画面の具体例を示す説明図である。図３に示すウインドウには、通常プリントモードと割込プリントモードの２種類のモードを選択するチェックボックスが設けられている。ユーザはいずれかのチェックボックスを選択し、通常プリントモードあるいは割込プリントモードのいずれで記録処理を行わせるかを指示する。
【００２１】
Ｓ３２で例えば図３に示すようなウインドウを開き、ユーザによるプリントモードの選択が行われたら、Ｓ３３において、ユーザが割込プリントモードを選択したか否かを判断する。そして、ユーザが割込プリントモードを選択した場合には、通信端末装置１１において割込処理が行われるように、Ｓ３４において割込記録指示を設定した印刷ジョブをプリンタ・ドライバによって作成する。具体的には、例えば通信端末装置１１に所定の記録動作を行わせるためのプリントコマンドであるＰＪＬ（Ｐｒｉｎｔｅｒ  Ｊｏｂ  Ｌａｎｇｕａｇｅ）コマンドにおいて、割込の設定をＯＮにしたコマンドを作成して割込記録指示とする。さらに、ＰＪＬコマンドの作成と同時に、印刷データを例えばＰＤＬ（Ｐａｇｅ  Ｄｅｓｃｒｉｐｔｉｏｎ  Ｌａｎｇｕａｇｅ）コードデータなどとして作成する。後述するように、通信端末装置１１は、割込の設定をＯＮにしたＰＪＬコマンドを含む印刷ジョブを受信すると、割込記録処理を行う。
【００２２】
また、ユーザが通常プリントモードを選択した場合には、Ｓ３３からＳ３８に進み、割込処理されない印刷ジョブ、つまり割込の設定をＯＦＦにしたＰＪＬコマンドなどのプリントコマンドと、例えばＰＤＬコードデータなどの印刷データからなる印刷ジョブを作成する。
【００２３】
Ｓ３４またはＳ３８で印刷ジョブを作成したら、Ｓ３５において、その印刷ジョブのプリントコマンドを通信端末装置１１へ送信する。このプリントコマンドに対して、通信端末装置１１は、印刷データを受信できない場合はプリンタビジーが返信されてくる。Ｓ３６において、この通信端末装置１１からのプリンタビジーが返信されてきたか否かを判断する。そして、プリンタビジーであれば、プリンタビジー状態が解消されるまで待機する。プリンタビジーが返信されない場合、あるいは、プリンタビジー状態が解消された場合には、Ｓ３７でＰＤＬコードデータを送信してから印刷ジョブ作成、送信動処理を終了する。なお、通信端末装置１１からプリンタビジーが返信された場合には、エラーメッセージを表示してコンピュータ２４側における印刷処理（印刷ジョブ作成及び送信処理）を終了してもよい。
【００２４】
このようにして、例えば図３に示したようなウインドウで割込プリントモードのチェックボックスをチェックしたときには、通信端末装置１１に割込処理を実行させるプリントコマンドを含む印刷ジョブを作成する。したがって、後述するように、この印刷ジョブを通信端末装置１１へ送信すると、通信端末装置１１に対して割込記録指示を行い、この割込記録指示に係る印刷ジョブの割込処理を行うことができる。また、通常プリントモードのチェックボックスをチェックしたときには、通信端末装置１１が割込処理を行わない、通常のプリントコマンドを含む印刷ジョブを作成する。この場合、印刷ジョブを通信端末装置１１へ送信すると、通信端末装置１１は印刷ジョブの受付順に処理される。このように、ユーザは、通常プリントモードと割込プリントモードを自在に選択することができる。なお、図３に示したウインドウは、例えばユーザからの要求に応じて随時開くようにしてもよい。もちろん、プリントモードの選択ウインドウは、図３に示す例に限られるものではなく、任意の形態でよいし、また印刷ページの設定などを行う印刷ウインドウなどに組み込んでおいてもよい。
【００２５】
図４は、本発明の通信端末装置におけるコンピュータからの印刷ジョブの受信動作の一例を示すフロー図である。まず、Ｓ４１において、例えば図２のＳ３５によりコンピュータ２４から送られたプリントコマンドを受信すると、Ｓ４２でメモリフルフラグがＯＮか否かを判断する。メモリフルフラグは、画像メモリ２０の空き領域が所定量以上存在しない場合にＯＮにされるフラグである。画像メモリ２０は、空き領域が所定量以上存在しないと、印刷ジョブの印刷データを格納できない。そのため、Ｓ４２でメモリフルフラグがＯＮか否かを判断している。
【００２６】
もし、メモリフルフラグがＯＮのときには、通信端末装置１１は新たな印刷ジョブの印刷データを受け入れることができないので、Ｓ４８においてプリンタビジーをコンピュータ２４に返信する。これによってコンピュータ２４では、図２のＳ３６で説明したように、プリンタビジーが解除されるまで印刷データの送出を待つことになる。このようにしてコンピュータ２４からの印刷データの送出を待たせた後、Ｓ４９においてメモリフルフラグを監視し、空き領域が所定量以上になってメモリフルフラグがＯＦＦとなるまで待つ。メモリフルフラグがＯＦＦになると、通信端末装置１１はコンピュータ２４からの印刷ジョブの印刷データを受け入れ可能であるので、Ｓ５０においてプリンタビジーの解除をコンピュータ２４に通知する。
【００２７】
Ｓ４２でメモリフルフラグがＯＦＦの場合、あるいはＳ５０でプリンタビジーを解除した後、Ｓ４３において、コンピュータ２４からの印刷ジョブの印刷データを受信して、印刷する画像を画像メモリ２０に格納する。
【００２８】
印刷する画像を画像メモリ２０に格納すると、画像メモリ２０の容量を消費したことになるため、画像メモリ２０の空き領域の容量をチェックしておく。Ｓ４４において、画像メモリ２０の空き領域が所定量以上残っているか否かを判断し、画像メモリ２０の空き領域が所定量以上残っていればそのままＳ４６へ進む。また、メモリに空き領域が所定量以上残っていなければ、他の処理において画像を画像メモリ２０に格納できない旨を示すため、メモリフルフラグをＯＮにしてＳ４６へ進む。
【００２９】
次に、Ｓ４６において、Ｓ４３で受信したプリントコマンドにおいて割込の設定がＯＮになっているか否かを判断する。そして、割込の設定がＯＮになっている場合には、後述する記録処理の動作において画像コピーまたはファクシミリ受信の記録処理よりも優先して記録処理を行わせるため、Ｓ４７で割込フラグをＯＮにする。なお、この割込フラグは、ＯＮの状態のときに、コンピュータ２４からの印刷ジョブの記録動作において割込処理が行われる。以上の処理によって、コンピュータ２４からの印刷ジョブの受信動作を終了する。なお、受信した印刷ジョブの画像は画像メモリ２０に格納されており、後述する記録処理において記録出力されることになる。
【００３０】
なお、通信端末装置１１において、画像メモリ２０の空き領域を必要とする処理は、コンピュータ２４からの印刷ジョブの受信動作以外にも、画像コピーやファクシミリ送信における画像の読取動作、及び、ファクシミリ通信における画像の受信動作等もある。以下、これらの動作についても簡単に説明する。
【００３１】
図５は、本発明の通信端末装置における画像コピーの読取動作の一例を示すフロー図である。まずＳ５１において、操作部１４で原稿のコピー枚数等の各種設定が行われ、さらにスタートキーが操作されると、読み取った画像のデータを画像メモリ２０に格納可能か否かを判断するために、Ｓ５２でメモリフルフラグがＯＮであるか否かを判断する。そして、メモリフルフラグがＯＦＦの場合には、Ｓ５３ににおいて、読取部１５で原稿の画像を読み取り、読み取った画像データを画像メモリ２０に格納する。Ｓ５４において、画像メモリ２０の空き領域が残っているか否かを判断し、画像メモリ２０の空き領域が残っている場合には、画像コピーの読取動作を終了する。また、画像メモリ２０の空き領域が残っていない場合には、Ｓ５５でメモリフルフラグをＯＮにして画像コピーの受付動作を終了する。
【００３２】
Ｓ５２でメモリフルフラグがＯＮである場合には、Ｓ５６において、コピーできない旨を表示部１３で表示してコピー処理を終了する。あるいは、画像メモリ２０に所定量以上の空き領域ができるまで、そのまま待つように構成してもよい。
【００３３】
なお、ファクシミリ送信のための画像を読み込む場合についても、Ｓ５１のコピー操作の受付の代わりに、送信先の指定などのファクシミリ送信操作の受付処理を行い、後の処理は図５と同様の読取動作を行えばよい。
【００３４】
図６は、本発明の通信端末装置のファクシミリ通信における画像の受信動作の一例を示すフロー図である。まず、Ｓ６１においてＮＣＵ１８及びモデム１９を介してファクシミリ通信を受信すると、受信した画像データの受け入れが可能か否かを判断するために、Ｓ６２でメモリフルフラグがＯＮか否かを判断する。メモリフルフラグがＯＮの場合には、受信した画像データを画像メモリ２０に格納できないので、Ｓ６６でファクシミリ通信先にエラーメッセージを送信してファクシミリ通信における画像の受信動作を終了する。
【００３５】
また、Ｓ６２でメモリフルフラグがＯＦＦの場合には、Ｓ６３において、画像データを受信して、受信した画像データを画像メモリ２０に格納する。Ｓ６４において、受信した画像データの画像メモリ２０への格納後に画像メモリ２０の空き領域が残っているか否かを判断する。画像メモリ２０の空き領域が残っている場合には、そのままファクシミリ通信における画像の受信動作を終了する。また、画像メモリ２０の空き領域が残っていない場合には、新たな画像データの受信及び他の処理における画像の格納を行うことができないので、Ｓ６５においてメモリフルフラグをＯＮにしてから、ファクシミリ通信における画像の受信動作を終了する。
【００３６】
上述のように、図４〜図６に示した各動作においては、画像メモリ２０に画像データを格納する処理が含まれている。画像メモリ２０に画像データを格納する際には、画像データの格納前にメモリフルフラグがＯＮか否かを判断して、画像データを格納できるか否かを確認している。また、画像データを画像メモリ２０に格納した後に画像メモリ２０の空き領域が残っていない場合には、それ以降に画像データを格納することができない。そのため、画像メモリ２０への画像の格納後に画像メモリ２０の空き領域の容量をチェックし、空き容量が所定量以下の場合にはメモリフルフラグをＯＮにする処理を行っている。
【００３７】
次に、通信端末装置１１において、コンピュータ２４からの印刷ジョブの受信、画像コピーの受付、及びファクシミリ通信における画像の受信によってメモリに格納された画像データを記録する動作について説明する。
【００３８】
図７は、本発明の通信端末装置における記録動作の一例を示すフロー図である。まず、Ｓ７１〜Ｓ７３において、それぞれの機能ごとに記録出力すべき画像データが画像メモリ２０に格納されているか否かを判定し、格納されていれば、それぞれの機能に対応した記録出力の処理を行う。なお、Ｓ７１〜Ｓ７３の処理は、いずれを先に行ってもよい。また、記録出力すべき画像データが存在しない場合には、Ｓ７１〜７３を繰り返して実行していてもよいし、記録出力すべき画像データが存在しなくなった時点で処理を終了し、再び記録出力すべき画像データが画像メモリ２０に格納された時点で、図７に示す処理を開始してもよい。
【００３９】
Ｓ７１において、コンピュータ２４から受信した印刷ジョブの画像データがメモリに格納されている否かを判断する。画像メモリ２０に画像データが格納されている場合には、Ｓ７４において、記録部１６でその印刷ジョブの１頁目の画像データの記録を行う。さらに、その画像データが格納されていた画像メモリ２０中の領域を解放する。Ｓ７５において、Ｓ７４で画像データの領域を解放したことによって画像メモリ２０の空き領域が所定量以上となったか否かを判断する。そして、画像メモリ２０の空き領域が所定量以上となった場合には、新しい画像データを画像メモリ２０に格納可能である旨を他の処理に知らせるため、Ｓ７６においてメモリフルフラグをＯＦＦにしてＳ７７へ進む。なお、画像データの領域を解放しても画像メモリ２０の空き領域が所定量以上とならない場合には、Ｓ７７へそのまま進む。Ｓ７７では、この印刷ジョブに記録出力すべき次頁があるか否かを判断する。そして、記録出力すべき次頁がある場合には、Ｓ７４へ戻って、次頁の記録出力を行う。このようにして、最終頁まで記録出力したら、１つの印刷ジョブの記録出力を終え、Ｓ７１へ戻る。
【００４０】
Ｓ７２では、画像コピーの印刷ジョブが画像メモリ２０に格納されているか否かを判断する。そして、印刷ジョブが格納されている場合には、Ｓ７８において、記録部１６で画像コピーの印刷ジョブの１頁分の記録を行う。また、記録を終えた１頁分の画像の画像メモリ２０中の領域を解放する。Ｓ７９において、Ｓ７８の領域解放によって画像メモリ２０の空き領域が所定量以上となったか否かを判断する。そして、画像メモリ２０の空き領域が所定量以上となった場合には、Ｓ８０においてメモリフルフラグをＯＦＦにし、新しい画像データを画像メモリ２０に格納可能になったことを他の処理に通知する。また、画像メモリ２０の空き領域が所定量以上残っていない場合には、Ｓ８１へそのまま進む。
【００４１】
Ｓ８１において、記録処理実行中の印刷ジョブに記録すべき次頁の画像が存在するか否かを判断する。そして、次頁がない場合には、この印刷ジョブの記録がすべて終了しているので、Ｓ７１に戻る。また、次頁の画像がある場合には次頁の画像を記録出力するが、その前にＳ８２で割込フラグがＯＮになっているか否かを判断する。これによって、記録中にコンピュータ２４からプリントコマンドの割込設定をＯＮにした印刷ジョブを受け取っているか否かを判断することができる。割込フラグがＯＮの場合には、Ｓ８３で割込フラグをＯＦＦにして、さらに割込設定をＯＮにしたプリントコマンドの受付を可能にしておき、Ｓ８４において、割込設定をＯＮにした印刷ジョブのすべての頁の記録を行う。このようにして、画像コピーの記録中に、コンピュータ２４から割込指示を受けた印刷ジョブを優先して記録出力することができる。
【００４２】
Ｓ８４における割込記録処理によりすべての頁の記録を終えたら、Ｓ８２に戻り、プリントコマンドの割込設定をＯＮにした印刷ジョブを新たに受け取っているか否かを判断する。もし、割込記録中に新たな割込設定をＯＮにした印刷ジョブを受け取っている場合には、続けてその印刷ジョブについての割込記録処理を行うことになる。
【００４３】
Ｓ８２で割込フラグがＯＦＦであり、割込記録を行うべき印刷ジョブがなくなっていれば、Ｓ７８へ戻り、中断していた印刷ジョブの次頁の記録を再開する。
【００４４】
さらにＳ７３において、ファクシミリ通信で受信した画像データがメモリに格納されているか否かを判断する。そして、ファクシミリ通信で受信した画像データが存在しない場合には、Ｓ７１に戻って以上の処理を繰り返す。また、ファクシミリ通信で受信した画像データが存在する場合には、Ｓ７８に進んで画像コピーの印刷ジョブと同じ処理を行う。
【００４５】
以上説明したように、通信端末装置１１においては、画像コピーの画像データ及びファクシミリ通信で受信した画像データの記録処理中には、処理中の印刷ジョブの１頁分の記録を行う毎に割込フラグをチェックすることによって、コンピュータ２４からの割込記録を可能にしている。なお、上述の例においては、割込フラグのチェックを処理中の印刷ジョブの１頁分を記録する毎に行うようにしたが、２頁分あるいはそれ以上の頁分の記録を行う毎にチェックする構成にしてもよい。また、割込フラグがＯＮになった場合でも、その時点で受け付けている印刷ジョブ数や記録すべき頁数が所定数以下の場合には、割込処理を行わずに処理中の印刷ジョブの各頁の記録を続行するようにしてもよい。さらに、コンピュータ２４からの割込指示に従った割込記録処理を行うか否かを設定可能に構成してもよい。なお、上述の例ではコンピュータ２４から送られてきた印刷ジョブ中の印刷データの画像を画像メモリ２０に格納することを前提として説明しているが、印刷データがＰＤＬコードデータ等の場合には、その印刷データを画像メモリ２０に代えてＲＡＭ２１に格納してから画像に展開してもよい。
【００４６】
上述の記録処理において、記録を終了した画像の領域を解放した際に、画像メモリ２０の空き領域が所定量以上となればメモリフルフラグをＯＦＦにしているが、同様な処理はファクシミリ通信時に１頁分の画像を送信し終えた際にも行うことができる。すなわち、１頁分の画像をファクシミリ送信したら、送信した画像の領域を解放し、画像メモリ２０の空き領域が所定量以上となればメモリフルフラグをＯＦＦにすればよい。
【００４７】
次に、コンピュータ２４から通信端末装置１１へ割込記録指示を行ったときに、図２ないし図７で示した動作によって、割込指示を行った印刷ジョブがどのような順序で割込処理されるかについて具体的に説明する。図８は、コンピュータから通信端末装置へ割込記録指示を２回続けて行った場合における印刷ジョブの処理順序の説明図である。なお、図８では、記録操作（１）及び記録操作（２）とも、ユーザがデータの記録処理を指示する操作を行ったときに、例えば図３に示したウインドウなどによって割込プリントモードを選択したものとする。また、通信端末装置１１においては、画像コピーで記録する画像の記録処理またはファクシミリ通信で受信した画像の記録処理を実行中に、記録操作（１）で作成された印刷ジョブ（ＪＯＢ１）を受信したとする。また、記録操作（１）で作成された印刷ジョブ（ＪＯＢ１）の記録処理を実行中に、記録操作（２）で作成された印刷ジョブ（ＪＯＢ２）を受信したものとする。
【００４８】
まず、コンピュータ２４では、ユーザがコンピュータ２４において記録操作（１）を行うと、通常の記録指示を含むコマンド、つまり割込の設定をＯＮにしたＰＪＬコマンドと、記録処理される画像データを生成するためのＰＤＬコードデータ（ＪＯＢ１）が作成される。そして、まず割込指示がＯＮになったＰＪＬコマンドを通信端末装置１１へ送信し、データ転送が可能であれば続けてＰＤＬコードデータを印刷データとして通信端末装置１１へ送信する。通信端末装置１１では、このＰＪＬコマンドをＰＣインタフェース１７を介して受信すると、主制御部１２の制御によって記録部１６で記録中の頁の記録が終了し次第、記録中の印刷ジョブの処理を中断して割込記録処理に移行し、ＰＤＬコードデータ（ＪＯＢ１）から生成される画像の記録処理を開始する。
【００４９】
さらにコンピュータ２４は、ＰＤＬコードデータ（ＪＯＢ１）の記録中に、割込の設定をＯＮにしたＰＪＬコマンドとＰＤＬコードデータ（ＪＯＢ２）を作成し、通信端末装置１１へ送信する。通信端末装置１１は、印刷ジョブ（ＪＯＢ１）の記録処理中にこの２番目の印刷ジョブ（ＪＯＢ２）を受信すると、最初の印刷ジョブ（ＪＯＢ１）の記録終了後、続けて２番目の印刷ジョブ（ＪＯＢ２）の記録処理を実行する。そして、２番目の印刷ジョブ（ＪＯＢ２）の記録を終了すると、これらの割込記録処理で中断していた画像コピーの記録処理またはファクシミリ通信で受信した画像の記録処理を再開する。
【００５０】
図９は、コンピュータから通信端末装置へ割込記録指示と通常の記録指示を続けて行った場合における印刷ジョブの処理順序を示す説明図である。図８に示した処理において、コンピュータ２４で２番目の印刷ジョブ（ＪＯＢ２）に対して通常プリントモードを選択した場合には、図９に示すような処理順序になる。すなわち、最初の印刷ジョブ（ＪＯＢ１）の記録処理を終えると、中断していた画像コピーの記録処理またはファクシミリ通信で受信した画像の記録処理を再開し、この処理が終了してから２番目の印刷ジョブ（ＪＯＢ２）の記録処理を実行する。
【００５１】
図１０は、コンピュータから通信端末装置へ通常の記録指示を２回続けて行った場合における印刷ジョブの処理順序を示す説明図である。コンピュータ２４で最初の印刷ジョブ（ＪＯＢ１）と２番目の印刷ジョブ（ＪＯＢ２）をともに通常プリントモードとした場合には、以下のような処理順序になる。すなわち、通信端末装置１１で最初の印刷ジョブ（ＪＯＢ１）を受信した時に実行されていた記録処理はそのまま継続され、この処理が終了した後に、コンピュータ２４から受信した最初の印刷ジョブ（ＪＯＢ１）と２番目の印刷ジョブ（ＪＯＢ２）の記録処理を続けて行う。
【００５２】
なお、図１０において例えば２番目の印刷ジョブ（ＪＯＢ２）が割込プリントモードが選択されている場合、図１０に示すように最初の印刷ジョブ（ＪＯＢ１）の記録終了後に２番目の印刷ジョブ（ＪＯＢ２）の印刷を行うほか、最初の印刷ジョブ（ＪＯＢ１）の途中で割り込んで、２番目の印刷ジョブ（ＪＯＢ２）の記録を行うように構成してもよい。
【００５３】
【発明の効果】
以上の説明から明らかなように、本発明によれば、コンピュータなどの端末装置においてユーザが割込記録処理か通常記録処理を選択可能であり、端末装置で割込記録処理がユーザにより選択された場合には、通信端末装置において他の記録処理を実行中でも割込処理することが可能であり、通信端末装置に接続された端末装置から割込を指示して優先的に記録処理を行わせることができるという効果がある。
【図面の簡単な説明】
【図１】本発明の通信端末装置の実施の一形態を示すブロック図である。
【図２】本発明の通信端末装置に接続されたコンピュータにおける印刷ジョブの作成及び送信処理動作の一例を示すフロー図である。
【図３】コンピュータにおいて割込処理の設定を行うときに表示されるウインドウ画面の具体例を示す説明図である。
【図４】本発明の通信端末装置におけるコンピュータからの印刷ジョブの受信動作の一例を示すフロー図である。
【図５】本発明の通信端末装置における画像コピーの読取動作の一例を示すフロー図である。
【図６】本発明の通信端末装置のファクシミリ通信における画像の受信動作の一例を示すフロー図である。
【図７】本発明の通信端末装置における記録動作の一例を示すフロー図である。
【図８】コンピュータから通信端末装置へ割込記録指示を２回続けて行った場合における印刷ジョブの処理順序の説明図である。
【図９】コンピュータから通信端末装置へ割込記録指示と通常の記録指示を続けて行った場合における印刷ジョブの処理順序を示す説明図である。
【図１０】コンピュータから通信端末装置へ通常の記録指示を２回続けて行った場合における印刷ジョブの処理順序を示す説明図である。
【符号の説明】
１１…通信端末装置、１２…主制御部、１３…表示部、１４…操作部、１５…読取部、１６…記録部、１７…ＰＣインタフェース、１８…ＮＣＵ、１９…モデム、２０…画像メモリ、２１…ＲＡＭ、２２…ＲＯＭ、２３…バス、２４…コンピュータ。
【図１】
0003578055.tif 000002
【図２】
0003578055.tif 000003
【図３】
0003578055.tif 000004
【図４】
0003578055.tif 000005
【図５】
0003578055.tif 000006
【図６】
0003578055.tif 000007
【図７】
0003578055.tif 000008
【図８】
0003578055.tif 000009
【図９】
0003578055.tif 000010
【図１０】
0003578055.tif 000011